(57)【要約】      （修正有）【課題】木製箱体に装飾面を構成する木製容器において、装飾性模様として顧客の要望する種々の写真の精巧なＵＶ印刷、高乾燥インクジェット印刷を施した木製容器を提供する。【解決手段】曲げ面を有する小型略円筒状を持つ蓋付き木製容器において、当該容器の蓋面、及び側面に、顧客からの要望を受けた人物、又は物品・風景の写真４と、関連するメッセイジの文体６とを、木目の板面に沿ってＵＶ印刷、又は高速乾燥インクジェット印刷したプリント体を施している。【選択図】図１
0003212661.tif 000002
【実用新案登録請求の範囲】
【請求項１】
曲げ面を有する小型略円筒状を持つ蓋付き木製容器において、当該容器の蓋面、及び側面に、顧客からの要望を受けた人物、又は物品・風景の写真と、関連するメッセイジの文体とを、木目の板面に沿ってＵＶ印刷、又は高速乾燥インクジェット印刷されたプリント体を施していることを特徴とする速乾性プリント写真付き曲げを有する木製収納食器。
【請求項２】
曲げ面を有する小型略円筒状を持つ蓋付き木製容器で、それらの蓋面と側面のどちらから一面、或は両面の板表面に対して速乾印刷された顧客の要望する人物、又は物品・風景として、人物において親近者、友人、親戚の顔写真、或はスナップ写真、及び物品・風景において顧客の好みの風景・自然、植物・動物・食品のプリント写真、及びペット写真と、並びに顧客が何時もの心に思っている言葉などの文体とを付載して各蓋の表面、及び側面に対して２０〜１００％の割合の面積で、顧客の要望する写真のプリント体を載せていることを特徴とする請求項１、又は請求項２に記載の速乾プリント写真付き曲げ面を有する木製収納食器。
【請求項３】
曲げ面を有する小型略円筒状を持つ蓋付き木製容器は、木材スライス単薄板、及び平板で、木目を明白にして並行しているヒノキ材、スギ材、松材、ナラ材、ファルカタ材、ヒバ材の厚さ０．５〜１０ｍｍで、平面の木目も揃った平板からなっており、当該蓋と当該収納容器の接合を印籠型嵌め込み式、或は被せ式にして、前記の容器本体の縁側板部で開口の接合箇所に蓋体を嵌め込み接合に適合した状態にしていることを特徴とする請求項１、又は請求項２に記載の速乾プリント写真付き曲げ面を有する木製収納食器。
【請求項４】
曲げ面を有する小型略円筒状を持つ蓋付き木製容器における前記装飾性木製容器の本体とその蓋は、無垢の木目状態で蓋と側板の表面に、しかも好みの当該容器を選択して、顧客が要望する親近者、友人、親戚の顔写真、又はスナップ写真、又は好みの風景・自然、植物・動物・食品のプリント写真、又はペット写真と、顧客が何時も心に思っている言葉など選ばれた文体とから構成された画像を受けて、容器の蓋、又は側面の木表面に、前記画像をＵＶ印刷、又は高速乾燥インジェット印刷をしている蓋板と側板を持つ木製容器であることを特徴とする請求項１〜請求項３のいずれかに記載の速乾プリント写真付き曲げ面を有する木製収納食器。
【請求項５】
曲げ面を有する小型略円筒状を持つ蓋付き木製容器は、側板を円形曲げで製作された楕円形、又はハート型、又は瓢箪型、又は略円形の蓋付き容器において、直径５０〜１００ｍｍ、容積３００〜１５００ｍｌの楕円形、又はハート型、又は瓢箪型、又は円形様の筒状形体で、０．５〜２ｍｍの厚さの薄板を使用して張り合わせた側板の厚さを１．６〜５ｍｍにし、並びに底板、及び蓋板の厚さを５〜１０ｍｍの楕円形、又はハート型、又は瓢箪型、又は円形の平板にして、曲げ面を有する筒状容器寸法として縦長さ５０〜２００ｍｍ、横長さ１００〜３００ｍｍ、高さ４０〜１００ｍｍにした円形曲げ部分を半径２５〜１００ｍｍである蓋付き小型略円筒状容器との蓋板材、及び側板材の表面に、直接に写真と文体との画像構成体をＵＶ印刷又は高速乾燥イングジェット印刷していることを特徴とする請求項１〜請求項４のいずれかに記載の速乾プリント写真付き曲げ面を有する木製収納食器。
【請求項６】
曲げ面を有する小型略円筒状を持つ蓋付装飾性木製容器の本体は、少なくとも二重、又は三重に巻いた接着・積層にするにおいて食品安全性の多糖質系、又はウレタン系の接着剤を使用した前記各平板の接合面に塗布して、前記塗布接合した積層板を、２〜１００ｋｇ／ｃｍ２の加圧成形で処理せれている側板を使用している蓋付き小型略円筒状容器であって、最上面に平板状蓋体を持っているＵＶ印刷、および高速乾燥インクジェット印刷した写真付きの装飾性木製食器容器であることを特徴とする請求項１〜請求項５のいずれかに記載速乾プリント写真付き曲げ面を有する木製収納食器。
【考案の詳細な説明】
【技術分野】
【０００１】本考案は、曲げ面を有する小型略円筒状を持つ蓋付き木製容器において、当該容器の蓋面、及び側面に、容器における装飾性を増すために、顧客、所持者の関係する人物、又は好ましい物品・自然の写真のＵＶ印刷、および高乾燥インクジェット印刷を施した木製収納容器に関するものである。
【背景技術】
【０００２】  木製箱の生産では、顧客からのデザイン要求及び受注量に応じて製造が行われているため、木製箱の製造業者は、デザインの異なる多種類の箱を少量ずつ製造することを求められることがある。特に、多種多様な商品を少量販売することにより個々の商品の高付加価値化を目指すという、近年の商品販売戦略の下では、デザインの異なる多種多様な木製箱の少量受注がより一層増加する傾向にあると言える。【０００３】  近年の技術革新及び流通機構の発展に伴い、容器体や蓋体の立体的形状に独創的なデザインが施された紙箱も流通市場に登場している。しかし、食品容器は、その用途がそもそも商品の包装資材であることから、その保管容易性や輸送適応性が重要視される。このため、未だ多くの紙箱には、六面体や円柱体などのように積み上げ易くかつ嵩張らない一般的な立体的形状が採用されており、食品容器のデザインにおいては、現在もなお模様や色彩などの古典的、平面的装飾が多くて、現在風なデザイン模様は少ない状況であると言える。【０００４】また食品用収納容器として、所定の厚さの木材板よりなる木材層を備えた板材より構成される箱体の構造であって、少なくとも前面部，底面部，背面部，蓋面部となる各面部を、前記シート状基材を残して所定角度のＶ字状の溝をそれぞれ平行に複数切削形成して、該溝に直交する両側端縁に板厚の幅と略同幅長の段落ち部を形成し、前記前面部，底面部，背面部における前記段落ち部に位置して左右側板を接着固定して箱本体を構成して、前記背面部に前記溝を介して連続する前記蓋面部を開閉自在とし、左右側板の上端縁に当接される箱体の構造が提案されている（特許文献１参照）。【０００５】天板の切断部及び側面板との境目がなくなり新しい感性、ファッション性のある高級感を付与した複合素材包装用木箱で、側面板の上部内側を丸鋸刃でＬ型に切り欠きして上部内側切り欠き部を設け、側面板内側に丸鋸刃でＵ溝を切り欠きし、そこに中敷チップボールを差し込み、枠組み接着したのち、天板を落とし込み接着固定する木製箱が提案されている（特許文献２参照）。【０００６】有底円筒状の主筒と、その主筒の開口を開閉する蓋筒とを備えた円筒容器において、前記主筒及び蓋筒を木製の薄板を軸線に対して傾斜するように巻回して構成するとともに、その薄板の端縁により前記主筒及び蓋筒の外周面に段差状の装飾部を形成した木製の円筒容器が提案されている（特許文献３参照）。【０００７】薄板の繊維方向が互いに交差するように積層した少なくとも２〜４枚の木材スライス単板を含む複数の木材スライス単板直交にして接着剤で張り合わせた積層板を作製する、積層板を加圧成型する工程を含む木製食品容器の蓋を製造し、また、容器本体とその外周の張出縁とを備える木製容器の蓋を製造することができることを提案した（特許文献４参照）。【０００８】有底円形状の主円筒様体２と、その主円筒様体の開口を開閉する蓋円筒様体３とを備えた円形状を有する容器として、針葉樹林であるエゾマツ材、モミ材、ヒノキ材、スギ材、マツ材の厚さ０．５〜２ｍｍの木製の薄平板で、当該杢目の年輪の幅が平均値０．５〜３ｍｍの範囲に入っている薄平板木材を使用された直径５０〜３００ｍｍの円形状を有する入り��６ありの主円筒様体２、及び入り蓋７ありの蓋円筒様体３とから構成されている円形状を有する蓋付薄板容器が提案されている（特許文献５参照）。【０００９】木製で製作され食品容器で、前記箱容器体及び蓋体には蓋面、側面、底面の表面内１〜２枚の印刷を施した表面を用いて形成され使用できる木製の食品用の連結箱体で、存在しておらず、とくに耐久性のある精巧なＵＶ印刷を施した表面の食品容器は存在していない。
【先行技術文献】
【特許文献】
【００１０】
【特許文献１】特開２００４−３４５６７３号公報
【特許文献２】特開２００３−２６１６３号公報
【特許文献３】特開２０１０−５９６２号公報
【特許文献４】特開２０１２−１４８４７７号公報
【特許文献５】実用新案登録第３１９２８１０号公報
【考案の概要】
【考案が解決しようとする課題】
【００１１】また、現代的な洋装的木製薄板容器では、外周面に最外層の表面木目模様の薄単板の突合せ接合容器の外周面と同一周面上で、容器の軸線に沿って直線状に延びるように現れるように構成、あるいは木質の薄単板を重ねて積層体により円曲弁当用容器を形成したとしても、容器全体的に装飾を凝らして、食欲をそそるような木目加工して、デザイン的に、しかも親しみで優れた贈答品、装飾品、食品の容器は存在していなかった。【００１２】この考案は、このような従来の薄板容器の技術課題に存在する問題点に着目して、木製容器の蓋面、及び本体側面に使用中癒しと、楽しみ、気分転換をもたらすものが望まれている。特に容器自体に中身と合わせて容器にデザイン性、目で楽しみ、癒しの要件を持つものが喜ばれる。その目的は、側面に、あるいは蓋体に絵画、写真を描いたものが要件を有している材料を使用して、円曲容器加工が簡単に処理できるとともに物品収納容器で外周面に天然素材の立体的な表面木目模様のデザイン性変化を醸しだすことができることはもとより、好みの写真をプリントした特殊な形状の収納容器を期待されている。【００１３】  しかしながら、立体的であるか平面的であるかを問わず、デザインの異なる多種類の絵柄入り装飾性箱体を少量生産した場合、一デザイン当たりの容器の生産数量が減少することから、容器当たりの製造コストが高くなる。このため、同一デザインの絵柄入り装飾性食器を大量生産する場合に比べて、自ずと独自の装飾、デザインの容器の製造コストが高くなり、また木目を持つ表面に精巧なＵＶ印刷、イングジェット印刷を施した人物、風景における多種類の写真、絵柄入り装飾性木製収納容器は製造されていない。またそのような装飾の木製の物品容器おいては、顧客の望みの模様に対して低廉な価格で提供できないという問題点があった。【００１４】  また、顧客がデザインの多種類の特殊の木製収納容器を要望する場合、一部の特殊デザインの商品の売れ行きが伸びるが、別の商品の販売数量が当初の見込みを大幅に越えるような状況が生じなく、特殊商品毎に木製収納品容器のデザインを異ならせれば、当該一部の商品の特殊写真、絵柄の木製物品収納容器を期待されている。当該一部の商品における写真柄付き木製容器が生産不足で、在庫不足となるため再発注しなければならず、更に製造経費が嵩んでしまうという問題点もある。【００１５】既述従来から使用される物品収納の木製容器などの個人的特殊性を要するパッケージである物品容器の構造を提供するものであって、蓋体と容器本体の接合は印籠型嵌め込み式、被せ式で、木製収納容器に装飾面を構成する木製容器の蓋、側面の表面に精巧な緻密なＵＶ印刷、インクジェット印刷を施した特殊の装飾性模様の写真を描いている。また木製容器の素材として杉材、檜材、ヒバ材のものが、その表面の木製箱体の表面に刻印されたものであったり、厚紙、樹脂に絵柄を印刷されることにより製出された収納容器は、安っぽくて気品が無く低級さを感受するものであった。【００１６】本考案では斯かる問題点を是正し、また高級感を持つ桐材等の木製食品容器は、癒し感と高級感が出現するが、高価となり、簡易包装が尊ばれる昨今の風潮に合致せず逆行するものとなる。好みの��しを満たせる写真をプリントした蓋付き木製食品容器として気品を充分に保ち、且つ高価にはならずに提供出来、その構成も簡便であるばかりか、商品使用した後の食品容器を廃棄されずに利用して、後利用を有効に活用出来る絵柄付き木製重箱を提供することを目的とする。親近者、友人、親戚の顔写真、スナップ写真、好みの風景、食品のプリント写真、ペット写真、及び何時もの心に思っている言葉などの文体を付設して各蓋の表面をＵＶ印刷により作り出されるので、蓋体を好みの写真をＵＶプリントした特殊デザインが異なる多種多様表面の蓋板な食品容器を製造することを課題としている。
【課題を解決するための手段】
【００１７】曲げ面を有する小型略円筒状を持つ蓋付き木製容器において、当該容器の蓋面、及び側面に、顧客からの要望を受けた人物、又は物品・風景の写真と、関連するメッセイジの文体とを、木目の板面に沿ってＵＶ印刷、又は高速乾燥インクジェット印刷されたプリント体を施している速乾性プリント写真付き曲げを有する木製収納食器である。【００１８】曲げ面を有する小型略円筒状を持つ蓋付き木製容器で、それらの蓋面と側面のどちらから一面、或は両面の板表面に対して速乾印刷された顧客の要望する人物、又は物品・風景として、人物において親近者、友人、親戚の顔写真、或はスナップ写真、及び物品・風景において顧客の好みの風景・自然、植物・動物・食品のプリント写真、及びペット写真と、並びに顧客が何時もの心に思っている言葉などの文体とを付載して各蓋の表面、及び側面に対して２０〜１００％の割合の面積で、顧客の要望する写真のプリント体を載せている。【００１９】曲げ面を有する小型略円筒状を持つ蓋付き木製容器は、木材スライス単薄板、及び平板で、木目を明白にして並行しているヒノキ材、スギ材、松材、ナラ材、ファルカタ材、ヒバ材の厚さ０．５〜１０ｍｍで、平面の木目も揃った平板からなっており、当該蓋と当該収納容器の接合を印籠型嵌め込み式、或は被せ式にして、前記の容器本体の縁側板部で開口の接合箇所に蓋体を嵌め込み接合に適合した状態にしている。【００２０】曲げ面を有する小型略円筒状を持つ蓋付き木製容器における前記装飾性木製容器とその蓋は、無垢の木目状態で蓋と側板の表面に、しかも好みの当該容器を選択して、顧客が要望する親近者、友人、親戚の顔写真、又はスナップ写真、又は好みの風景・自然、植物・動物・食品のプリント写真、又はペット写真と、顧客が何時も心に思っている言葉など選ばれた文体とから構成された画像を受けて、容器の蓋、又は側面の木表面に、前記画像をＵＶ印刷、又は高乾燥インジェット印刷をしている蓋板と側板を持つ木製容器である。【００２１】曲げ面を有する小型略円筒状を持つ蓋付き木製容器は、側板を円形曲げで製作された楕円形、又はハート型、又は瓢箪型、又は略円形の蓋付き容器において、直径５０〜１００ｍｍ、容積３００〜１５００ｍｌの楕円形、又はハート型、又は瓢箪型、又は円形様の筒状形体で、０．５〜２ｍｍの厚さの薄板を使用して張り合わせた側板の厚さを１．６〜５ｍｍにし、並びに底板、及び蓋板の厚さを５〜１０ｍｍの楕円形、又はハート型、又は瓢箪型、又は円形の平板にして、曲げ面を有する筒状容器寸法として縦長さ５０〜２００ｍｍ、横長さ１００〜３００ｍｍ、高さ４０〜１００ｍｍにした円形曲げ部分を半径２５〜１００ｍｍである蓋付き小型略円筒状容器との蓋板材、及び側板材の表面に、直接に写真と文体との画像構成体をＵＶ印刷又は高速乾燥イングジェット印刷している。【００２２】曲げ面を有する小型略円筒状を持つ蓋付装飾性木製容器の本体は、少なくとも二重、又は三重に巻いた接着・積層にするにおいて食品安全性の多糖質系、又はウレタン系の接着剤を使用した前記各平板の接合面に塗布して、前記塗布接合した積層板を、２〜１００ｋｇ／ｃｍ２の加圧成形で処理せれている側板を使用している蓋付き小型略円筒状容器であって、最上面に平板状蓋体を持っているＵＶ印刷、および高速乾燥インクジェット印刷した写真付きの装飾性木製食器容器である。【００２３】前記表面体にＵＶ印刷で描かれた写真或いは文体の面は、その表面で２０〜８０％面積割合を有している。ＵＶ印刷はインキとして、顔料、樹脂（フェノール樹脂、又はアルキッド樹脂）、アクリル酸モノマー、増感剤・開始剤などからなる組成である。顔料と樹脂（フェノール樹脂、又はアルキッド樹脂）とアクリル酸モノマーと増感剤・開始剤との比率は１５〜２５％：１０〜３０％：３０〜６０％：５〜１５％である。印刷は、この紫外線（０．１〜０．４μｍの光照射）のエネルギーを利用することによって硬化、乾燥する上記のインキで、紫外線硬化型印刷である。
【考案の効果】
【００２４】この考案によれば、曲げ面を有する小型略円筒状を持つ蓋付き木製容器木製の木目を持つ収納容器において、蓋付き曲げ面を有する小型略円形状容器における当該容器の蓋面、側面に、顧客に関係する人物、又は好ましい物品・風景をＵＶ印刷された写真と、関連するメッセイジの文体を木目を持つ収納容器とその蓋の面積の２０〜８０％の割合でプリントを施している容器の側面、蓋によって、食事中に蓋を眺めることによって一層の楽しみが増し、また蓋を取り換えることによって好みの写真を見ることができた。【００２５】小型円形状容器である蓋、側板の表面を無垢の木目状態で、しかも好みの収納容器を選択して、その容器の側面と蓋に顧客要望する親近者、友人、親戚の顔写真、スナップ写真、好みの風景、食品のプリント写真、ペット写真、及び何時も心に思っている言葉などの文体から選ばれたものに構図を示して、その構図の構成された画像を受けて、前記画像をＵＶ印刷、又は高速乾燥インクジェット印刷している食品容器によって、物品収納容器に親しみがもたれ、癒しも増してくる。【００２６】蓋体、容器側面の化粧面はＵＶ印刷、高速乾燥インクジェット印刷により作り出されるので、写真の特殊デザインが異なる多種多様表面の化粧板な物品収納容器を造作もなく製造できる効果がある。ＵＶ印刷は、油性インキに比べて摩擦などの耐性にも優れおり、インキが材質に染み込んでいかないために、写真プリントに対してインキの吸収性の高い木質材料には流動性に気を配るなど必要はない。また油性インキではさまざまな事柄に対処しなければならないが、その必要性がない。また速乾性のためにインキを乾燥させるためにすぐに次の工程に回せ、種々の色合いの印刷が可能である。しかもＵＶ印刷を施した装飾性木製収納容器は、利用した後に廃棄されることはなく、檜材、杉材等の木製容器は、高級感が出現した。また高価となるプリント写真を持った木製容器は、重厚性、高級感から尊ばれ、装飾品として飾ることができた。
【図面の簡単な説明】
【００２７】
【図１】速乾プリント写真付き曲げ面を有する木製収納食器の斜視図。Ａ：被せ蓋用円形容器  Ｂ：置き蓋用円筒容器
【図２】速乾プリント写真付き曲げ面を有する木製収納食器と蓋板の部品を表した図  Ａ：被せ蓋用円形容器の蓋体  Ｂ：被せ蓋用円形容器の蓋体の側面  Ｃ：置き蓋用円筒容器の蓋体  Ｄ：置き蓋用円筒容器の蓋体の側面
【図３】速乾プリント写真付き曲げ面を有する木製収納食器を使用状態での斜視図  Ａ：被せ蓋用円形容器  Ｂ：置き蓋用円筒容器
【図４】速乾プリント写真付き曲げ面を有する木製収納食器の蓋体に使用される写真の図  Ａ：人物  Ｂ：ペット  Ｃ：山  Ｄ：住宅  Ｅ：風景  Ｆ：乗り物
【考案を実施するための形態】
【００２８】以下、本考案の実施形態について図面に基づいて説明する。速乾プリント写真付き曲げ面を有する木製収納食器での木製の木目を持つ食物収納容器において、蓋付き小型円形状容器における当該容器の蓋面の木製表面に、所持者の関係する人物、又は好ましい物品・風景をＵＶ印刷された写真と関連するメッセイジの文体を蓋の面積の２０〜１００％の割合でプリントを施している。
【実施例１】
【００２９】図１のＡに示すように、曲げ面を有する小型略円筒状を持つ蓋付き木製容器の被せ蓋用円形容器において、当該容器の蓋面、及び側面に、顧客からの要望を受けた人物と、関連するメッセイジの文体とを、木目の板面に沿ってＵＶ印刷されたプリント体を施している速乾性プリント写真付き曲げを有する木製収納食器を製造した。【００３０】曲げ面を有する小型略円筒状を持つ蓋付き木製容器で、それらの蓋面に対してＵＶ印刷された顧客の要望する自分と妻などの親近者と、並びに何時もの心に思っている言葉、名称などの文体とを付載して各蓋の表面に対して約９０％の割合の面積で写真のプリント体を載せた。【００３１】曲げ面を有する小型略円筒状を持つ蓋付き木製容器は、杉板材のスライス単薄板、及び平板で、木目を明白にして並行している杉材の厚さ１ｍｍと１０ｍｍとで、平面の木目も揃った平板からなっており、当該蓋と当該収納容器の接合を印籠型嵌め込み式にして、前記の容器本体の縁側板部で開口の接合箇所に蓋体を嵌め込み接合にした。【００３２】曲げ面を有する小型略円筒状を持つ蓋付き木製容器における前記装飾性木製容器の蓋は、無垢の木目状態で蓋の表面に、しかも好みの楕円形容器を選択して、顧客が要望する親近者、何時も心に思っている言葉など選ばれた文体とから構成された画像を受けて、容器の蓋の木表面に、前記画像をＵＶ印刷している蓋板を持つ木製容器にした。【００３３】曲げ面を有する小型略円筒状を持つ蓋付き木製容器は、側板を円形曲げで製作された楕円形の蓋付き容器において、直径６０ｍｍ、容積７００ｍｌの楕円形、の筒状形体で、１ｍｍの厚さの薄板を使用して張り合わせた側板の厚さを１．２ｍｍにし、並びに底板、及び蓋板の厚さを１０ｍｍの楕円形平板にして、曲げ面を有する筒状容器寸法として縦長さ６０ｍｍ、横長さ１５０ｍｍ、高さ７０ｍｍにした円形曲げ部分を半径３０ｍｍである蓋付き小型略円筒状容器との蓋板材、及び側板材の表面に、直接に孫の人物写真と好みの文体との画像構成体をＵＶ印刷した。【００３４】曲げ面を有する小型略円筒状を持つ蓋付装飾性木製容器の被せ蓋用円形容器の本体は、少なくとも二重に巻いた接着・積層にするにおいて食品安全性のウレタン系の接着剤を使用した前記各平板の接合面に塗布して、前記塗布接合した積層板を、２０ｋｇ／ｃｍ２の加圧成形で処理せれている側板を使用している蓋付き小型略円筒状容器であって、最上面に平板状蓋体を持っているＵＶ印刷した写真付きの装飾性木製弁当箱となった。【００３５】図３のＡに示すように、この木製弁当箱は、孫の写真のプリントを施している容器の蓋によって、食事中に蓋を眺めることによって一層の楽しみが増し、また蓋を取り換えることによって好みの写真を見ることができた。日替わりで写真の変わった蓋を交換することができた。
【実施例２】
【００３６】図１のＢに示すように、曲げ面を有する小型略円筒状を持つ蓋付き木製容器の置き蓋用円筒容器において、当該容器の蓋面、及び側面に、顧客からの要望を受けたペットの写真と、関連するメッセイジの文体とを、木目の板面に沿ってＵＶ印刷されたプリント体を施している速乾性プリント写真付き曲げを有する木製収納食器を製作した。【００３７】図３のＢに示すように、曲げ面を有する小型略円筒状を持つ蓋付き木製容器の置き蓋用円筒容器は、ヒノキ木材スライス単薄板、及び平板で、木目を明白にして並行しているヒノキ材の厚さ０．５ｍｍと８ｍｍで、平面の木目も揃った平板からなっており、当該蓋と当該収納容器の接合を被せ式弁当箱にした。【００３８】図２のＢに示すように、曲げ面を有する小型略円筒状を持つ蓋付き木製容器の置き蓋用円筒容器における前記装飾性木製容器の本体とその蓋は、無垢の木目状態で蓋と側板の表面に、しかも好みの楕円形の容器を選択して、ペットのプリント写真と、心に思っている言葉など選ばれた文体とから構成された画像を受けて、容器の蓋、又は側面の木表面に、６０％の面積に前記画像をＵＶ印刷している蓋板と側板を持つ木製弁当箱の容器にした。【００３９】曲げ面を有する小型楕円形弁当箱容器は、側板を円形曲げで製作された楕円形、の蓋付き容器において、略直径７０ｍｍ、容積８００ｍｌの楕円形様の筒状形体で、１ｍｍの厚さの薄板を使用して張り合わせた側板の厚さを３ｍｍにし、並びに底板、及び蓋板の厚さを８ｍｍの楕円形の平板にして、曲げ面を有する筒状容器寸法として縦長さ７０ｍｍ、横長さ２００ｍｍ、高さ６０ｍｍにした円形曲げ部分を半径３５ｍｍである蓋付き小型容器との蓋板材、及び側板材の表面に、直接にペットの写真と文体との画像構成体にＵＶ印刷を行った。【００４０】曲げ面を有する小型略円筒状を持つ蓋付装飾性木製容器の本体は、三重に巻いた接着・積層にするにおいて食品安全性のウレタン系の接着剤を使用した前記各平板の接合面に塗布して、前記塗布接合した積層板を、３０ｋｇ／ｃｍ２の加圧成形で処理せれている側板を使用している蓋付き小型略円筒状容器であって、最上面に平板状蓋体を持っているＵＶ印刷した写真付きの装飾性木製食器容器にした。【００４１】図３のＢに示すように、この木製弁当箱は、ペット写真のプリントを施している容器の蓋によって、食事中に蓋を眺めることによって一層の楽しみが増し、また蓋を取り換えることによって好みの写真を見ることができた。日替わりで写真の変わった蓋を交換することができた。
【実施例３】
【００４２】実施例１と同様に、曲げ面を有する小型略円筒状を持つ蓋付き木製容器において、当該容器の蓋面、及び側面に、顧客からの要望を受けた人物、又は物品・風景の写真と、関連するメッセイジの文体とを、木目の板面に沿ってＵＶ印刷、又は高乾燥インクジェット印刷されたプリント体を施している速乾性プリント写真付き曲げを有する木製収納食器を製作した。【００４３】曲げ面を有する小型略円筒状を持つ蓋付き木製容器で、それら側面の板表面に対して速乾印刷されたペット写真と、並びに顧客が何時もの心に思っている言葉などの文体とを付載して各蓋の表面、及び側面に対して８０％の割合の面積で、顧客の要望する写真のプリント体を載せた。【００４４】曲げ面を有する小型略円筒状を持つ蓋付き木製容器は、木材スライス単薄板、及び平板で、木目を明白にして並行しているヒノキ材の厚さ１ｍｍで、平面の木目も揃った平板からなっており、当該蓋と当該収納容器の接合を印籠型嵌め込み式にして、前記の容器本体の縁側板部で開口の接合箇所に蓋体を嵌め込み接合にした。【００４５】曲げ面を有する小型略円筒状を持つ蓋付き木製容器は、側板を円形曲げで製作されたハート型の蓋付き容器において、容積８００ｍｌのハート型様の筒状形体で、１ｍｍの厚さの薄板を使用して張り合わせた側板の厚さを３ｍｍにし、並びに底板、及び蓋板の厚さを１０ｍｍのハート型の平板にして、曲げ面を有する筒状容器寸法として、高さ６０ｍｍにした円形曲げ部分を半径４０ｍｍである蓋付き小型ハート型容器との蓋板材、及び側板材の表面に、直接に写真と文体との画像構成体をＵＶ印刷した。
【実施例４】
【００４６】実施例１と同様にして、収納できる蓋付き木製容器は、側板を円形曲げで製作された楕円形、又は円形の蓋付き容器において、幅、又は直径９０ｍｍ、容積７００ｍｌの円形の筒状形体で、０．８〜１．２ｍｍの厚さのスギ薄板を使用して張り合わせた側板の厚さを３ｍｍにし、並びに底板、及び蓋板の厚さを１０ｍｍの円形の平板にして、筒状容器寸法として高さ７０ｍｍにした円形曲げ部分を半径４５ｍｍである蓋付き小型円形状容器との蓋材における表面に、直接に写真構成のプリントを施した。【００４７】各種の蓋付装飾性木製容器の本体は、水蒸気処理を施した三重に巻いた接着・積層にするにおいて食品安全性の接着剤を使用した前記各平板の接合面に塗布して、塗布接合した積層板を加圧成形で処理したものを側板として使用している蓋付き小型円形状容器と、最上面に合わせることができる平板状蓋体を持つ装飾性木製食器容器であった。【００４８】蓋付き小型円形状容器と蓋付き重箱状容器で、それらの蓋面の表面に対してＵＶ印刷された図４の人物、又は物品・風景として、親近者、友人、親戚の顔写真、スナップ写真、好みの風景、食品のプリント写真、ペット写真、及び何時もの心に思っている言葉などの文体を付設して各蓋の表面に対して５０％以上の割合の面積で描いており、写真を各表面に施されている。【００４９】前記装飾性木製容器の蓋材は、小型円形状容器で、蓋の表面を無垢の木目状態で、しかも好みの容器を選択して、要望するスナップ写真、及び何時も心に思っている言葉などの文体から選ばれたものを構成された画像を受けて、蓋の表面に対して５０％以上の割合面積で、前記画像をＵＶ印刷している蓋体にした。
【実施例５】
【００５０】実施例１と同様に、小型円形状容器における容器は、側板を円形曲げで製作された楕円形蓋付き容器において、容積８００ｍｌの楕円形の筒状形体で、１ｍｍの厚さの薄板を使用して張り合わせた側板の厚さを３ｍｍにし、並びに底板、及び蓋板の厚さを１０ｍｍの楕円形の平板にして、筒状容器寸法として高さ５０ｍｍにした円形曲げ部分を半径３０ｍｍである蓋付き小型円形状容器との蓋材における表面に、直接に写真構成のプリントを施した。【００５１】蓋付き小型円形状容器は、それらの蓋面の表面に対してＵＶ印刷された風景、を蓋の表面に対して８０％以上の割合の面積で描いており、写真を各表面に施した。【００５２】小型円形状容器では、木材スライス単薄板で、木目を明白にして並行しているスギ材の厚さ１ｍｍ、１０ｍｍで、平面の木目も均等に揃った平板、木目が揃っている平板からなっており、被せ式にした。
【符号の説明】
【００５３】１．曲げ面を有する小型略円筒状を持つ蓋付き木製容器
２．容器本体
３．蓋体
４．写真図柄（人物、ペット、風景など）
５．ＵＶ印刷、又はイングジェット印刷
６．メッセイジ文の書体
７．側面
８．底面
９．被せ蓋用円形容器
１０．置き蓋用円筒容器
１１．食品
１２．印籠接合
１３．木目
１４．薄板接合目
１５．薄板張合わせ
１６．木目
【図１】
0003212661.tif 000003
【図２】
0003212661.tif 000004
【図３】
0003212661.tif 000005
【図４】
0003212661.tif 000006
【手続補正書】
【提出日】平成29年2月10日(2017.2.10)
【手続補正１】
【補正対象書類名】実用新案登録請求の範囲
【補正対象項目名】全文
【補正方法】変更
【補正の内容】
【実用新案登録請求の範囲】
【請求項１】
曲げ面を有する小型略円筒状を持つ蓋付き木製容器において、当該容器の蓋面、及び側面に、顧客からの要望を受けた人物、又は物品・風景の写真と、関連するメッセイジの文体とを、木目の板面に沿ってＵＶ印刷、又は高速乾燥インクジェット印刷されたプリント体を施していることを特徴とする速乾性プリント写真付き曲げを有する木製容器。
【請求項２】
曲げ面を有する小型略円筒状を持つ蓋付き木製容器で、それらの蓋面と側面のどちらか一面、或は両面の板表面に対して速乾印刷された顧客の要望する人物、又は物品・風景として、人物において親近者、友人、親戚の顔写真、或はスナップ写真、及び物品・風景において顧客の好みの風景・自然、植物・動物・食品のプリント写真、及びペット写真と、並びに顧客が何時もの心に思っている言葉などの文体とを付載して各蓋の表面、及び側面に対して２０〜１００％の割合の面積で、顧客の要望する写真のプリント体を写載させていることを特徴とする請求項１に記載の速乾プリント写真付き曲げ面を有する木製容器。
【請求項３】
曲げ面を有する小型略円筒状を持つ蓋付き木製容器は、木材をスライスされた薄板、及び平板で、木目を明白にして並行しているヒノキ材、スギ材、松材、ナラ材、ファルカタ材、ヒバ材の厚さ０．５〜１０ｍｍで、平面の木目も揃った薄板、及び平板からなっており、当該蓋と当該容器の接合を印籠型嵌め込み式、或は被せ式にして、前記の容器本体の縁側板部で開口の接合箇所に蓋体を嵌め込み接合に適合した状態にしていることを特徴とする請求項１、又は請求項２に記載の速乾プリント写真付き曲げ面を有する木製容器。
【請求項４】
曲げ面を有する小型略円筒状を持つ蓋付き木製容器の本体とその蓋は、無垢の木目模様を示している蓋板と側板の表面を持つ性状の容器を選択して、前記容器においては、顧客が要望する親近者、友人、親戚の顔写真、又はスナップ写真、又は好みの風景・自然、植物・動物・食品のプリント写真、又はペット写真と、顧客が何時も心に思っている言葉など選ばれた文体とから構成された画像構成体を顧客から受けて、前記画像体をＵＶ印刷、又は高速乾燥インジェット印刷されていることを特徴とする請求項１〜請求項３のいずれかに記載の速乾プリント写真付き曲げ面を有する木製容器。
【請求項５】
曲げ面を有する小型略円筒状を持つ蓋付き木製容器は、側板を円形曲げで製作された楕円形、及び円形の略円形様の蓋付き容器、又はハート形、又は瓢箪形の変形円形様の蓋付き容器において、円形様に近いものでは直径５０〜１００ｍｍで、またハート形、又は瓢箪形のような変形円形様のものでは最長の長さ１００〜２００ｍｍで、容積として３００〜１５００ｍｌの楕円形、又は円形、又はハート形、又は瓢箪形である略円形様、及び変形円形様の筒形状体で、０．５〜２ｍｍの厚さの薄板を使用して張り合わせた側板の厚さを１．６〜５ｍｍにし、前記容器の底板、及び蓋板の厚さを５〜１０ｍｍの楕円形、又はハート形、又は瓢箪形、又は円形の平板にして、曲げ面を有する略円形状、及び変形円形の容器寸法として縦長さ５０〜２００ｍｍ、横長さ１００〜３００ｍｍ、高さ４０〜１００ｍｍにした円形曲げ部分を半径２５〜１００ｍｍである蓋付き小型略円筒状容器との蓋板材、及び側板材の表面に、直接に前記の写真と文体との画像構成体をＵＶ印刷又は高速乾燥イングジェット印刷していることを特徴とする請求項１〜請求項４のいずれかに記載の速乾プリント写真付き曲げ面を有する木製容器。
【請求項６】
曲げ面を有する小型略円筒状を持つ蓋付装飾性木製容器の本体は、少なくとも前記薄板を二重、又は三重に巻いた積層体にしており、前記積層体に食品安全性の多糖質系、又はウレタン系の接着剤を使用した前記各薄板の接合面に塗布して、前記塗布接合した薄板の積層体を、２〜１００ｋｇ／ｃｍ２の加圧成形で接着せれている側板を使用している蓋付き小型略円筒状容器であって、最上面にある平板状の蓋体にＵＶ印刷、および高速乾燥インクジェット印刷した写真と文体との画像構成体付きの装飾性木製容器であることを特徴とする請求項１〜請求項５のいずれかに記載の速乾プリント写真付き曲げ面を有する木製容器。
【手続補正書】
【提出日】平成29年4月17日(2017.4.17)
【手続補正１】
【補正対象書類名】実用新案登録請求の範囲
【補正対象項目名】全文
【補正方法】変更
【補正の内容】
【実用新案登録請求の範囲】
【請求項１】
曲げ面を有する小型略円筒状を持つ蓋付き木製容器において、当該容器の蓋面、及び側面に、顧客からの要望を受けた人物、又は物品・風景の写真と、関連するメッセイジの文体とを、木目の板面に沿ってＵＶ印刷、又は高速乾燥インクジェット印刷されたプリント体を施していることを特徴とする速乾性プリント写真付き曲げ面を有する木製容器。
【請求項２】
曲げ面を有する小型略円筒状を持つ蓋付き木製容器で、それらの蓋面と側面のどちらか一面、或は両面の板表面に対して速乾印刷された顧客の要望する人物、又は物品・風景として、人物において親近者、友人、親戚の顔写真、或はスナップ写真、及び物品・風景において顧客の好みの風景・自然、植物・動物・食品のプリント写真、及びペット写真と、並びに顧客が何時もの心に思っている言葉などの文体とを付載して各蓋の表面、及び側面に対して２０〜１００％の割合の面積で、顧客の要望する写真のプリント体を写載させていることを特徴とする請求項１に記載の速乾性プリント写真付き曲げ面を有する木製容器。
【請求項３】
曲げ面を有する小型略円筒状を持つ蓋付き木製容器は、木材をスライスされた薄板、及び平板で、木目を明白にして並行しているヒノキ材、スギ材、松材、ナラ材、ファルカタ材、ヒバ材の厚さ０．５〜１０ｍｍで、平面の木目も揃った薄板、及び平板からなっており、蓋面と側面の接合を印籠型嵌め込み式、或は被せ式にして、前記の容器本体の縁側板部で開口の接合箇所に蓋体を嵌め込み接合に適合した状態にしていることを特徴とする請求項１、又は請求項２に記載の速乾性プリント写真付き曲げ面を有する木製容器。
【請求項４】
曲げ面を有する小型略円筒状を持つ蓋付き木製容器の本体とその蓋は、無垢の木目模様を示している蓋板と側板の表面を持つ性状の容器を選択して、前記容器においては、顧客が要望する親近者、友人、親戚の顔写真、又はスナップ写真、又は好みの風景・自然、植物・動物・食品のプリント写真、又はペット写真と、顧客が何時も心に思っている言葉など選ばれた文体とから構成された画像構成体を顧客から受けて、前記画像体をＵＶ印刷、又は高速乾燥インジェット印刷されていることを特徴とする請求項１〜請求項３のいずれかに記載の速乾性プリント写真付き曲げ面を有する木製容器。
【請求項５】
曲げ面を有する小型略円筒状を持つ蓋付き木製容器は、側板を円形曲げで製作された楕円形、及び円形の略円形様の蓋付き容器、又はハート形、又は瓢箪形の変形円形様の蓋付き容器において、円形様に近いものでは直径５０〜１００ｍｍで、またハート形、又は瓢箪形のような変形円形様のものでは最長の長さ１００〜２００ｍｍで、容積として３００〜１５００ｍｌの楕円形、又は円形、又はハート形、又は瓢箪形である略円形様、及び変形円形様の筒形状体で、０．５〜２ｍｍの厚さの薄板を使用して張り合わせた側板の厚さを１．６〜５ｍｍにし、前記容器の底板、及び蓋板の厚さを５〜１０ｍｍの楕円形、又はハート形、又は瓢箪形、又は円形の平板にして、曲げ面を有する略円形状、及び変形円形の容器寸法として縦長さ５０〜２００ｍｍ、横長さ１００〜３００ｍｍ、高さ４０〜１００ｍｍにした円形曲げ部分を半径２５〜１００ｍｍである蓋付き小型略円筒状容器との蓋板材、及び側板材の表面に、直接に前記の写真と文体との画像構成体をＵＶ印刷又は高速乾燥イングジェット印刷していることを特徴とする請求項１〜請求項４のいずれかに記載の速乾性プリント写真付き曲げ面を有する木製容器。
【請求項６】
曲げ面を有する小型略円筒状を持つ蓋付装飾性木製容器の本体は、少なくとも前記薄板を二重、又は三重に巻いた積層体にしており、前記積層体に食品安全性の多糖質系、又はウレタン系の接着剤を使用した前記各薄板の接合面に塗布して、前記薄板を塗布・接合した積層体を、２〜１００ｋｇ／ｃｍ２の加圧成形で接着されている側板を使用している蓋付き小型略円筒状容器であって、最上面にある平板状の蓋体にＵＶ印刷、および高速乾燥インクジェット印刷した写真と文体との画像構成体付きの装飾性木製容器であることを特徴とする請求項１〜請求項５のいずれかに記載の速乾性プリント写真付き曲げ面を有する木製容器。
【手続補正書】
【提出日】平成29年7月4日(2017.7.4)
【手続補正１】
【補正対象書類名】実用新案登録請求の範囲
【補正対象項目名】全文
【補正方法】変更
【補正の内容】
【実用新案登録請求の範囲】
【請求項１】
曲げ面を有する小型略円筒状を持つ蓋付き木製容器において、当該容器の蓋面、および側面に、顧客からの要望を受けた写真および関連するメッセイージの文体を、木目の板面に沿ってＵＶ印刷、または高速乾燥インクジェット印刷されたプリント体として写載されている、ことを特徴とする速乾性プリント写真付き曲げ面を有する木製容器。
【請求項２】
前記写真は、親近者、友人、親戚の顔写真、あるいはスナップ写真、顧客の好みの風景・自然、植物・動物・食品のプリント写真、またはペット写真であり、前記文体は顧客が何時もの心に思っている言葉などの文体であり、前記蓋面、および側面に対して２０〜１００％の割合の面積で、前記プリント体を写載させていることを特徴とする請求項１に記載の速乾プリント写真付き曲げ面を有する木製容器。
【請求項３】
前記木製容器は、並行した木目を有するヒノキ材、スギ材、松材、ナラ材、ファルカタ材、またはヒバ材をスライスした０．５〜１０ｍｍの厚さを有する、平面の木目も揃った薄板、及び平板からなっており、蓋面と側面を印籠型嵌め込み式、あるいは被せ式により接合し、前記の木製容器本体の縁側板部で開口の接合箇所に蓋体を嵌め込み接合に適合した状態にしている、ことを特徴とする、請求項１、または請求項２に記載の速乾プリント写真付き曲げ面を有する木製容器。
【請求項４】
前記木製容器の本体とその蓋は、無垢の木目模様を有し、前記写真および前記文体から構成された画像構成体が前記蓋面および側面にＵＶ印刷、および高速乾燥インジェット印刷されている、ことを特徴とする請求項１〜請求項３のいずれかに記載の速乾プリント写真付き曲げ面を有する木製容器。
【請求項５】
前記木製容器は、側板を円形曲げで製作された、楕円形、または円形の略円形様の蓋付き容器、あるいはハート形、あるいは瓢箪形の変形円形様の蓋付き容器であって、
前記蓋の直径または最長径は、前記略円形様のものであれば５０〜１００ｍｍであり、
前記側板は、０．５〜２ｍｍの厚さの薄板を使用して張り合わせた１．６〜５ｍｍの厚さであり、
前記容器の底板、および蓋板は、５〜１０ｍｍの厚さを有する平板であり、
前記容器の寸法は、縦長さ５０〜２００ｍｍ、横長さ１００〜３００ｍｍ、高さ４０〜１００ｍｍおよび円形曲げ部分の半径２５〜１００ｍｍであり、その容積は３００〜１５００ｍｌであり、
前記蓋面、および側面に、直接、前記写真と文体から構成された画像構成体をＵＶ印刷または高速乾燥イングジェット印刷している、ことを特徴とする請求項１〜請求項４のいずれかに記載の速乾プリント写真付き曲げ面を有する木製容器。
【請求項６】
前記木製容器の側板は、少なくとも前記薄板を二重、又は三重に巻いた積層体であり、前記積層体は、食品安全性を有する多糖質系、またはウレタン系の接着剤を前記各薄板の接合面に塗布し、２〜１００ｋｇ／ｃｍ２の加圧成形により接着したものである、ことを特徴とする請求項１〜請求項５のいずれかに記載の速乾プリント写真付き曲げ面を有する木製容器。